Podtech/llm-jp-corpus-v4-ja_patent huggingface dataset:
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
双性イオンを含む難溶性物質溶解剤。
【請求項２】
前記双性イオンのカチオン部位が、イミダゾリウムカチオン、ホスホニウムカチオン、アンモニウムカチオン、スルホニウムカチオン、ピラゾリウムカチオン、ピリジニウムカチオン、ピロリジニウムカチオン、モルホリニウムカチオン、シクロプロペニリウムカチオン及びピペリジニウムカチオンからなる群から選択されるカチオンである請求項１に記載の難溶性物質溶解剤。
【請求項３】
前記双性イオンのカチオン部位が、イミダゾリウムカチオン又はホスホニウムカチオンである請求項１に記載の難溶性物質溶解剤。
【請求項４】
前記双性イオンのカチオン部位が、置換基として分子鎖中に１個以上のヘテロ原子を有していても良い炭素数１〜５個のアルキル基を１個以上有する請求項１〜３のいずれか１項に記載の難溶性物質溶解剤。
【請求項５】
前記双性イオンのカチオン部位とアニオン部位との間が、分子鎖中に１個以上のヘテロ原子を有していても良い炭素数１〜５個の１個以上のアルキレン基を介して結合される請求項１〜４のいずれか１項に記載の難溶性物質溶解剤。
【請求項６】
前記双性イオンが、下記式（１）
【化１】
2018191623.tif 000001
（式中、Ａは、ＳＯ３−、−ＣＯＯ−、−ＯＰ＝Ｏ（Ｈ）Ｏ−、−ＯＰ＝Ｏ（ＣＨ３）Ｏ−及び−ＯＰ＝Ｏ（ＯＲ３）Ｏ−からなる群から選択されるアニオンであり、Ｒ１は、分子鎖中に１又は２個の酸素原子を含んでいても良い炭素数１〜５個のアルキル基であり、Ｒ２は、炭素数３〜５個のアルキレン基であり、Ｒ３は、分子鎖中にヘテロ原子を有していても良いアルキル基である。）
で表される請求項１に記載の難溶性物質溶解剤。
【請求項７】
前記双性イオンが、下記式（２）
【化２】
2018191623.tif 000002
（式中、Ｒ１及びＲ２は、請求項６で定義したとおりである。）
で表される請求項６に記載の難溶性物質溶解剤。
【請求項８】
双性イオンを含む培地用添加剤。
【請求項９】
前記双性イオンのカチオン部位が、イミダゾリウムカチオン、ホスホニウムカチオン、アンモニウムカチオン、スルホニウムカチオン、ピラゾリウムカチオン、ピリジニウムカチオン、ピロリジニウムカチオン、モルホリニウムカチオン、シクロプロペニリウムカチオン及びピペリジニウムカチオンからなる群から選択されるカチオンである請求項８に記載の培地用添加剤。
【請求項１０】
前記双性イオンのカチオン部位が、イミダゾリウムカチオン又はホスホニウムカチオンである請求項８に記載の培地用添加剤。
【請求項１１】
前記双性イオンのカチオン部位が、置換基として分子鎖中に１個以上のヘテロ原子を有していても良い炭素数１〜５個のアルキル基を１個以上有する請求項８〜１０のいずれか１項に記載の培地用添加剤。
【請求項１２】
前記双性イオンのカチオン部位とアニオン部位との間が、分子鎖中に１個以上のヘテロ原子を有していても良い炭素数１〜５個の１個以上のアルキレン基を介して結合される請求項８〜１１のいずれか１項に記載の培地用添加剤。
【請求項１３】
前記双性イオンが、下記式（１）
【化３】
2018191623.tif 000003
（式中、Ａは、ＳＯ３−、−ＣＯＯ−、−ＯＰ＝Ｏ（Ｈ）Ｏ−、−ＯＰ＝Ｏ（ＣＨ３）Ｏ−及び−ＯＰ＝Ｏ（ＯＲ３）Ｏ−からなる群から選択されるアニオンであり、Ｒ１は、分子鎖中に１又は２個の酸素原子を含んでいても良い炭素数１〜５個のアルキル基であり、Ｒ２は、炭素数３〜５個のアルキレン基であり、Ｒ３は、分子鎖中にヘテロ原子を有していても良いアルキル基である。）
で表される請求項８に記載の培地用添加剤。
【請求項１４】
前記双性イオンが、下記式（２）
【化４】
2018191623.tif 000004
（式中、Ｒ１及びＲ２は、請求項１３で定義したとおりである。）
で表される請求項１３に記載の培地用添加剤。
【請求項１５】
下記式（４）
【化５】
2018191623.tif 000005
で表される双性イオン。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
高周波磁場を被検体に印加する送信コイルと、
ＦＯＶ（Field Of View）内の信号分布に基づいて、前記ＦＯＶ内の特定領域を選択する選択手段と、
前記特定領域内の信号に基づいて、前記送信コイルに供給される高周波パルス信号の出力電力を決定する決定手段と、
を有する磁気共鳴イメージング装置。
【請求項２】
前記決定手段は、前記特定領域内の信号の強度が最大化されるように、前記送信コイルに供給される前記高周波パルス信号の前記出力電力を決定する、
請求項１に記載の磁気共鳴イメージング装置。
【請求項３】
前記ＦＯＶは脊椎領域を含んだアキシャル面に設定され、前記選択手段は、前記ＦＯＶにおけるリードアウト方向の一次元信号分布に基づいて、前記特定領域を選択する、
請求項１又は２に記載の磁気共鳴イメージング装置。
【請求項４】
前記選択手段は、前記一次元信号分布における２個のピークに対応する２個の位置に基づいて、前記特定領域を選択する、
請求項３に記載の磁気共鳴イメージング装置。
【請求項５】
前記選択手段は、前記一次元信号分布における前記２個の位置の間を前記特定領域として決定する、
請求項４に記載の磁気共鳴イメージング装置。
【請求項６】
前記選択手段は、前記一次元信号分布における、閾値以下の信号に対応する２個の位置に基づいて、前記特定領域を選択する、
請求項３に記載の磁気共鳴イメージング装置。
【請求項７】
前記選択手段は、前記一次元信号分布における、前記２個の位置の間の全体又は部分を、前記特定領域として選択する、
請求項６に記載の磁気共鳴イメージング装置。
【請求項８】
撮像を実行する撮像実行手段を更に有し、
前記選択手段は、複数のスライスのスライスごとに前記特定領域を選択し、
前記決定手段は、前記複数の特定領域のそれぞれに対して前記出力電力を決定し、前記撮像実行手段により撮像されるスライスの位置に最も近いスライスに相当する前記特定領域で決定された出力電力を選択する、
請求項１乃至７のうちいずれか一項に記載の磁気共鳴イメージング装置。
【請求項９】
前記ＦＯＶは両膝領域を含んだアキシャル面に設定され、前記選択手段は、前記ＦＯＶにおけるリードアウト方向の一次元信号分布に基づいて、前記特定領域を決定する、
請求項１又は２に記載の磁気共鳴イメージング装置。
【請求項１０】
前記選択手段は、前記一次元信号分布における、閾値以下の信号に対応する４個の位置に基づいて２個の膝領域を検出し、前記４個の位置に基づいて前記２個の膝領域のうち一方を含む領域を前記特定領域として決定する、
請求項９に記載の磁気共鳴イメージング装置。
【請求項１１】
撮像を実行する撮像実行手段を更に有し、
前記選択手段は、左膝領域及び右膝領域を２個の特定領域として選択し、
前記決定手段は、前記２個の特定領域のそれぞれに対して前記出力電力を決定し、
前記撮像実行手段は、前記左膝領域と前記右膝領域とのうち、撮像する膝領域に対応する出力電力で撮像を実行する、
請求項９又は１０に記載の磁気共鳴イメージング装置。
【手続補正２】
【補正対象書類名】明細書
【補正対象項目名】００４４
【補正方法】変更
【補正の内容】
【００４４】
方向性結合器３２４は、ＲＦパルス信号の伝送線路上に伝送路に非接触で配置され、ＷＢコイル１２に伝送されるＲＦパルス信号を所要の結合度（カップリング係数）にて減衰させて検波器３２５に送る。
【手続補正３】
【補正対象書類名】明細書
【補正対象項目名】００７３
【補正方法】変更
【補正の内容】
【００７３】
図９（Ｂ）を用いて説明する。領域選択機能６１は、ステップＳＴ３において、所定の共鳴周波数及び帯域幅でスライスを選択し、Ｘ軸方向に対してのみエンコーディングされたＭＲ信号を収集する。即ち、領域選択スキャンでは、位相エンコード方向（Ｙ軸方向）に設定する位相エンコード量を、例えばゼロに固定し、リードアウト方向（Ｘ軸方向）のみの１次元スキャンを行う。これにより、領域選択機能６１は、Ｘ軸方向及びＹ軸方向に対してエンコーディングされたＭＲ信号を収集する場合（図９（Ａ）に図示）と比較して短時間でＭＲ信号を収集することができる。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技領域を視認可能な窓部が設けられた枠体と、
可動体と、
前記枠体の開放を検出する検出手段と、
遊技者の動作を検出する動作検出手段と、
演出音を出力可能な音出力手段と、
発光可能な発光手段と、
を備え、
前記窓部は、第１透過部材と、該第１透過部材よりも前記遊技領域側に設けられ、孔部または切欠部が形成された第２透過部材と、を有し、該第１透過部材と該第２透過部材との間に形成された空間に前記孔部または前記切欠部を介して前記可動体の少なくとも一部が進入可能であり、
前記可動体は、
前記第１透過部材と前記第２透過部材との間に形成された空間に進入しない第１位置に移動する第１動作と、前記第１透過部材と前記第２透過部材との間に形成された空間に進入する第２位置に移動する第２動作と、を実行可能であり、
前記第１動作の実行後に前記第２動作を続けて実行する一連の演出動作を実行可能であり、
前記動作検出手段による遊技者の動作の検出に基づいて、前記第１透過部材と前記第２透過部材との間に形成された空間に進入可能であり、
前記一連の演出動作において、前記第１動作の動作速度と前記第２動作の動作速度とが異なり、
前記枠体は、動作可能な枠側可動手段を備え、
前記可動体が前記第２動作を実行することに関連して前記枠側可動手段を動作させる枠連動演出を実行可能であり、
前記可動体の前記第２動作が実行されたときに前記枠連動演出が実行される連動パターンと、前記可動体の前記第２動作が実行されたときに前記枠連動演出が実行されない非連動パターンと、があり、
前記連動パターンと前記非連動パターンとで、有利状態に制御される期待度が異なり、
前記検出手段が前記枠体の開放を検出した場合に、前記可動体の動作を制限する、
ことを特徴とする遊技機。
【手続補正２】
【補正対象書類名】明細書
【補正対象項目名】０００６
【補正方法】変更
【補正の内容】
【０００６】
（Ａ）本願の観点Ａに係る遊技機は、
遊技が可能な遊技機（例えば、パチンコ遊技機など）であって、
遊技領域を視認可能な窓部（例えば、窓部５１）が設けられた枠体（例えば、開閉枠５０など）と、
可動体（例えば、第１可動体３００など）と、
前記枠体の開放を検出する検出手段（例えば、扉開放検出スイッチ）と、
遊技者の動作を検出する動作検出手段（例えば、コントローラセンサユニット３５Ａ、プッシュセンサ３５Ｂなど）と、
演出音を出力可能な音出力手段（例えば、スピーカ８Ｌ，８Ｒなど）と、
発光可能な発光手段（例えば、可動体ＬＥＤ３５０Ａ、３５０Ｂ、３５０ＣＬ、３５０ＣＲ、３５０ＤＬ，３５０ＤＲなど）と、
を備え、
前記窓部は、第１透過部材（例えば、第１透過体２５０）と、該第１透過部材よりも前記遊技領域側に設けられ、孔部（例えば、孔部２７０）または切欠部が形成された第２透過部材（例えば、第２透過体２６０）と、を有し、該第１透過部材と該第２透過部材との間に形成された空間（例えば、空間部Ｓ）に前記孔部または前記切欠部を介して前記可動体の少なくとも一部が進入可能であり、
前記可動体は、
前記第１透過部材と前記第２透過部材との間に形成された空間に進入しない第１位置に移動する第１動作と、前記第１透過部材と前記第２透過部材との間に形成された空間に進入する第２位置に移動する第２動作と、を実行可能であり（例えば、Ｓ３２３Ａ、Ｓ１７２の処理を実行する演出制御用ＣＰＵ１２０により、図３３に示すように第１可動体３００は、第１位置Ｐ１に移動する第１動作ＡＣＴ１と、第２位置Ｐ２に動作する第２動作ＡＣＴ２と、が実行可能であるなど）、
前記第１動作の実行後に前記第２動作を続けて実行する一連の演出動作を実行可能であり（例えば、図３４に示すように、第１動作及び第２動作を実行する演出動作を実行可能）、
前記動作検出手段による遊技者の動作の検出に基づいて、前記第１透過部材と前記第２透過部材との間に形成された空間に進入可能であり（例えば、第１可動体３００を第１透過体２５０と第２透過体２６０との間に進入可能であるなど）、
前記一連の演出動作において、前記第１動作の動作速度と前記第２動作の動作速度とが異なり（例えば、図３４（ａ）に示すように、動作速度が異なる）、
前記枠体は、動作可能な枠側可動手段（例えば、図５６に示す変形例１７の枠側可動体ＳＬ，ＳＲ、図５７（Ｂ）に示す打球操作ハンドルＨＢなど）を備え、
前記可動体が前記第２動作を実行することに関連して前記枠側可動手段を動作させる枠連動演出を実行可能であり（例えば、第１可動体３００が第１透過体２５０と第２透過体２６０との間に進入することに関連して枠側可動体ＳＬ，ＳＲや打球操作ハンドルＨＢを動作させる枠連動演出など）、
前記可動体の前記第２動作が実行されたときに前記枠連動演出が実行される連動パターンと、前記可動体の前記第２動作が実行されたときに前記枠連動演出が実行されない非連動パターンと、があり（例えば、図５８（Ｃ）に示す「非連動パターン（第１可動体３００のみが動作）」と「連動パターン（第１可動体３００と枠側可動体ＳＬ，ＳＲとが連動）」など）、
前記連動パターンと前記非連動パターンとで、有利状態に制御される期待度（例えば、大当たり期待度）が異なり、
前記検出手段が前記枠体の開放を検出した場合に、前記可動体の動作を制限する（例えば、図２７（Ｂ）におけるＳ６４）、
ことを特徴とする。
この構成によれば、演出の効果を向上させることができる。
（１）本願の第１の観点に係る遊技機は、
遊技が可能な遊技機（例えば、パチンコ遊技機など）であって、
遊技領域を視認可能な窓部（例えば、窓部５１）が設けられた枠体（例えば、開閉枠５０など）と、
可動体（例えば、第１可動体３００など）と、
を備え、
前記窓部は、第１透過部材（例えば、第１透過体２５０）と、該第１透過部材よりも前記遊技領域側に設けられ、孔部（例えば、孔部２７０）または切欠部が形成された第２透過部材（例えば、第２透過体２６０）と、を有し、該第１透過部材と該第２透過部材との間に形成された空間（例えば、空間部Ｓ）に前記孔部または前記切欠部を介して前記可動体の少なくとも一部が進入可能であり、
前記枠体は、動作可能な枠側可動手段（例えば、図５６に示す変形例１７の枠側可動体ＳＬ，ＳＲ、図５７（Ｂ）に示す打球操作ハンドルＨＢなど）を備え、
前記可動体が前記第１透過部材と前記第２透過部材との間に進入することに関連して前記枠側可動手段を動作させる枠連動演出を実行可能である（例えば、第１可動体３００が第１透過体２５０と第２透過体２６０との間に進入することに関連して枠側可動体ＳＬ，ＳＲや打球操作ハンドルＨＢを動作させる枠連動演出など）、
ことを特徴とする。
この構成によれば、演出の効果を向上させることができる。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技領域を視認可能な窓部と、
第１可動体と、
前記第１可動体とは別の第２可動体と、
演出音を出力可能な音出力手段と、
発光可能な発光手段と、
を備え、
前記窓部は、第１透過部材と、該第１透過部材よりも前記遊技領域側に設けられ、孔部または切欠部が形成された第２透過部材と、を有し、該第１透過部材と該第２透過部材との間に形成された空間に前記孔部または前記切欠部を介して前記第１可動体の少なくとも一部が進入可能であり、
前記第１可動体と前記第２可動体とは、前記第２透過部材よりも前記遊技領域側に設けられた可動体であり、
前記第１可動体は、前記第１透過部材と前記第２透過部材との間に形成された空間に進入しない第１位置と、前記第１透過部材と前記第２透過部材との間に形成された空間に進入する第２位置と、に移動可能であり、
前記第２可動体は、前記第１可動体の前記第１位置と前記第２位置との間の第３位置と、前記第２位置にある前記第１可動体と干渉することがない位置であり遊技者が該第２可動体を視認することが可能な第４位置と、に移動可能であり、
前記第１可動体が前記第１位置に位置するときに前記第２可動体が前記第３位置に位置可能であり、
前記第２可動体の第４位置への移動と、前記第１可動体の第２位置への移動と、を一連の動作として実行し、
前記一連の動作の後に、前記第１可動体と前記第２可動体とによる可動体演出を実行する、
ことを特徴とする遊技機。
【手続補正２】
【補正対象書類名】明細書
【補正対象項目名】０００６
【補正方法】変更
【補正の内容】
【０００６】
（Ａ）本願の観点Ａに係る遊技機は、
遊技が可能な遊技機（例えば、パチンコ遊技機など）であって、
遊技領域を視認可能な窓部（例えば、窓部５１）と、
第１可動体（例えば、第１可動体３００など）と、
前記第１可動体とは別の第２可動体（例えば、図５０に示す変形例１３の可動導光板ＭＧＰなど）と、
演出音を出力可能な音出力手段（例えば、スピーカ８Ｌ，８Ｒなど）と、
発光可能な発光手段（例えば、可動体ＬＥＤ３５０Ａ、３５０Ｂ、３５０ＣＬ、３５０ＣＲ、３５０ＤＬ，３５０ＤＲなど）と、
を備え、
前記窓部は、第１透過部材（例えば、第１透過体２５０）と、該第１透過部材よりも前記遊技領域側に設けられ、孔部（例えば、孔部２７０）または切欠部が形成された第２透過部材（例えば、第２透過体２６０）と、を有し、該第１透過部材と該第２透過部材との間に形成された空間（例えば、空間部Ｓ）に前記孔部または前記切欠部を介して前記第１可動体の少なくとも一部が進入可能であり、
前記第１可動体と前記第２可動体とは、前記第２透過部材よりも前記遊技領域側に設けられた可動体（例えば、図５０による図示）であり、
前記第１可動体は、前記第１透過部材と前記第２透過部材との間に形成された空間に進入しない第１位置と、前記第１透過部材と前記第２透過部材との間に形成された空間に進入する第２位置と、に移動可能であり（例えば、Ｓ３２３Ａ、Ｓ１７２の処理を実行する演出制御用ＣＰＵ１２０により、図３３に示すように第１可動体３００は、第１位置Ｐ１に移動する第１動作ＡＣＴ１と、第２位置Ｐ２に動作する第２動作ＡＣＴ２と、が実行可能であるなど）、
前記第２可動体は、前記第１可動体の前記第１位置と前記第２位置との間の第３位置と、前記第２位置にある前記第１可動体と干渉することがない位置であり遊技者が該第２可動体を視認することが可能な第４位置と、に移動可能であり（例えば、可動導光板ＭＧＰは、第１可動体３００の第１位置Ｐ１と第２位置Ｐ２との間の第３位置Ｐ３に位置可能であり、第１可動体３００を第２位置Ｐ２に移動させるときには該第１可動体３００の第２位置Ｐ２への移動に干渉しない第４位置Ｐ４に移動可能であるなど）、
前記第１可動体が前記第１位置に位置するときに前記第２可動体が前記第３位置に位置可能であり、
前記第２可動体の第４位置への移動と、前記第１可動体の第２位置への移動と、を一連の動作として実行し（例えば、可動導光板ＭＧＰが第４位置Ｐ４に移動した後に、第１可動体３００が第２位置Ｐ２に移動する）、
前記一連の動作の後に、前記第１可動体と前記第２可動体とによる可動体演出を実行する（例えば、可動導光板ＭＧＰの導光表示と第１可動体３００とによる可動体演出が実行可能）、
ことを特徴とする。
この構成によれば、演出の効果を向上させることができる。
（１）本願の第１の観点に係る遊技機は、
遊技が可能な遊技機（例えば、パチンコ遊技機など）であって、
遊技領域を視認可能な窓部（例えば、窓部５１）と、
第１可動体（例えば、第１可動体３００など）と、
前記第１可動体とは別の第２可動体（例えば、図５０に示す変形例１３の可動導光板ＭＧＰなど）と、
を備え、
前記窓部は、第１透過部材（例えば、第１透過体２５０）と、該第１透過部材よりも前記遊技領域側に設けられ、孔部（例えば、孔部２７０）または切欠部が形成された第２透過部材（例えば、第２透過体２６０）と、を有し、該第１透過部材と該第２透過部材との間に形成された空間（例えば、空間部Ｓ）に前記孔部または前記切欠部を介して前記第１可動体の少なくとも一部が進入可能であり、
前記第１可動体は、前記第１透過部材と前記第２透過部材との間に進入しない第１位置と、前記第１透過部材と前記第２透過部材との間に進入する第２位置と、に移動可能であり（例えば、Ｓ３２３Ａ、Ｓ１７２の処理を実行する演出制御用ＣＰＵ１２０により、図３３に示すように第１可動体３００は、第１位置Ｐ１に移動する第１動作ＡＣＴ１と、第２位置Ｐ２に動作する第２動作ＡＣＴ２と、が実行可能であるなど）、
前記第２可動体は、前記第１可動体の前記第１位置と前記第２位置との間の第３位置に位置可能であり、前記第１可動体を前記第２位置に移動させるときには該第１可動体の該第２位置への移動に干渉しない第４位置に移動可能である（例えば、可動導光板ＭＧＰは、第１可動体３００の第１位置Ｐ１と第２位置Ｐ２との間の第３位置Ｐ３に位置可能であり、第１可動体３００を第２位置Ｐ２に移動させるときには該第１可動体３００の第２位置Ｐ２への移動に干渉しない第４位置Ｐ４に移動可能であるなど）、
ことを特徴とする。
この構成によれば、演出の効果を向上させることができる。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技領域を視認可能な窓部と、
可動体と、
演出音を出力可能な音出力手段と、
発光可能な発光手段と、
を備え、
表示演出を実行可能な表示手段が前記窓部を介して視認可能に配置され、
前記窓部は、第１透過部材と、該第１透過部材よりも前記遊技領域側に設けられ、孔部または切欠部が形成された第２透過部材と、を有し、該第１透過部材と該第２透過部材との間に形成された空間に前記孔部または前記切欠部を介して前記可動体の少なくとも一部が進入可能であり、
前記可動体は、
原点位置から前記第１透過部材と前記第２透過部材との間に形成された空間に進入しない第１位置に動作する第１動作と、前記第１位置から前記第１透過部材と前記第２透過部材との間に形成された空間に進入する第２位置に動作する第２動作と、を実行可能であり、
前記第１動作の実行後に前記第２動作を実行せずに前記原点位置に戻る第１演出動作と、前記第１動作の実行後に前記第２動作を続けて実行する一連の第２演出動作と、を実行可能であり、
前記第２演出動作における前記第１動作と前記第２動作とで、動作速度、前記発光手段の発光態様、及び前記音出力手段の演出音が異なり、
前記第２演出動作は前記第１演出動作よりも、有利状態に制御される期待度が高く、
前記原点位置は、前記可動体が前記表示手段に重畳しない位置または前記可動体の一部が前記表示手段に重畳する位置である、
ことを特徴とする遊技機。
【手続補正２】
【補正対象書類名】明細書
【補正対象項目名】０００６
【補正方法】変更
【補正の内容】
【０００６】
（Ａ）本願の観点Ａに係る遊技機は、
遊技が可能な遊技機（例えば、パチンコ遊技機など）であって、
遊技領域を視認可能な窓部（例えば、窓部５１）と、
可動体（例えば、第１可動体３００など）と、
演出音を出力可能な音出力手段（例えば、スピーカ８Ｌ，８Ｒなど）と、
発光可能な発光手段（例えば、可動体ＬＥＤ３５０Ａ、３５０Ｂ、３５０ＣＬ，３５０ＣＲ、３５０ＤＬ，３５０ＤＲなど）と、
を備え、
表示演出を実行可能な表示手段（例えば、演出表示装置５Ａなど）が前記窓部を介して視認可能に配置され、
前記窓部は、第１透過部材（例えば、第１透過体２５０）と、該第１透過部材よりも前記遊技領域側に設けられ、孔部（例えば、孔部２７０）または切欠部が形成された第２透過部材（例えば、第２透過体２６０）と、を有し、該第１透過部材と該第２透過部材との間に形成された空間（例えば、空間部Ｓ）に前記孔部または前記切欠部を介して前記可動体の少なくとも一部が進入可能であり、
前記可動体は、
原点位置から前記第１透過部材と前記第２透過部材との間に形成された空間に進入しない第１位置に動作する第１動作と、前記第１位置から前記第１透過部材と前記第２透過部材との間に形成された空間に進入する第２位置に動作する第２動作と、を実行可能であり（例えば、Ｓ３２３Ａ、Ｓ１７２の処理を実行する演出制御用ＣＰＵ１２０により、図３３に示すように第１可動体３００は、第１位置Ｐ１に移動する第１動作ＡＣＴ１と、第２位置Ｐ２に動作する第２動作ＡＣＴ２と、が実行可能であるなど）、
前記第１動作の実行後に前記第２動作を実行せずに前記原点位置に戻る第１演出動作と、前記第１動作の実行後に前記第２動作を続けて実行する一連の第２演出動作とを実行可能（例えば、図３４に示すように、第１動作のみを実行する演出動作と、第１動作及び第２動作を実行する演出動作とを実行可能）であり、
前記第２演出動作における前記第１動作と前記第２動作とで、動作速度、前記発光手段の発光態様、及び前記音出力手段の演出音が異なり（例えば、図３４（ａ）〜（ｃ）に示すように、速度、発光態様、及び演出音が異なる）、
前記第２演出動作は前記第１演出動作よりも、有利状態に制御される期待度（例えば、大当り期待度）が高く（例えば、図３４に示すように、大当りの場合にはハズレの場合よりも、第１動作及び第２動作を行う可動体演出が実行され易くなっている）、
前記原点位置は、前記可動体が前記表示手段に重畳しない位置または前記可動体の一部が前記表示手段に重畳する位置である、
ことを特徴とする。
この構成によれば、演出の効果を向上させることができる。
（１）本願の第１の観点に係る遊技機は、
遊技が可能な遊技機（例えば、パチンコ遊技機など）であって、
遊技領域を視認可能な窓部（例えば、窓部５１）と、
可動体（例えば、第１可動体３００など）と、
を備え、
前記窓部は、第１透過部材（例えば、第１透過体２５０）と、該第１透過部材よりも前記遊技領域側に設けられ、孔部（例えば、孔部２７０）または切欠部が形成された第２透過部材（例えば、第２透過体２６０）と、を有し、該第１透過部材と該第２透過部材との間に形成された空間（例えば、空間部Ｓ）に前記孔部または前記切欠部を介して前記可動体の少なくとも一部が進入可能であり、
前記可動体は、原点位置から前記第１透過部材と前記第２透過部材との間に進入しない第１位置に動作する第１動作と、前記第１位置から前記第１透過部材と前記第２透過部材との間に進入する第２位置に動作する第２動作と、が実行可能である（例えば、Ｓ３２３Ａ、Ｓ１７２の処理を実行する演出制御用ＣＰＵ１２０により、図３３に示すように第１可動体３００は、第１位置Ｐ１に移動する第１動作ＡＣＴ１と、第２位置Ｐ２に動作する
第２動作ＡＣＴ２と、が実行可能であるなど）、
ことを特徴とする。
この構成によれば、演出の効果を向上させることができる。
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
表示制御に関するデータを記憶可能な記憶手段と、
前記記憶手段の記憶データを読み出して表示手段を制御可能な表示制御手段と、
前記表示手段とは異なる演出手段を用いた補助演出を実行可能な補助演出手段と、
演出音の出力を制御可能な音声制御手段と、を備え、
前記記憶手段に、表示制御に関するデータと、演出音の出力制御に関するデータとが、一連のデータとして記憶され、
前記表示制御手段による制御と前記音声制御手段による制御とを同期して実行可能であり、
前記補助演出手段は、
前記表示手段の表示に関する表示補助演出と、可動物の動作に関する動作補助演出と、を実行可能であり、
前記記憶手段に関する所定事象が発生した場合に、前記表示手段の表示が停止する停止期間に応じて前記表示補助演出を遅延して実行可能であり、
前記停止期間においても前記動作補助演出を実行可能であり、
前記可動物は、原点位置と該原点位置から離れた位置との間で動作可能であり、
前記原点位置に前記可動物を位置させる第１動作制御と、前記可動物が正常に動作可能であることを確認する第２動作制御と、前記可動物による演出を行う第３動作制御と、を行うことが可能な制御手段をさらに備え、
前記第２動作制御では、第１速度と該第１速度よりも速い第２速度との範囲内で前記可動物を動作させ、
前記第１動作制御では、前記第１速度以下の速度で前記可動物を動作させる、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願の請求項に係る遊技機は、遊技を行うことが可能な遊技機（例えばパチンコ遊技機１など）であって、表示制御に関するデータを記憶可能な記憶手段（例えば演出データメモリ１２３など）と、前記記憶手段の記憶データを読み出して表示手段を制御可能な表示制御手段（例えばＣＰＵ１３１、ＶＤＰ１３５など）と、前記表示手段とは異なる演出手段を用いた補助演出を実行可能な補助演出手段（例えばスピーカ８Ｌ、８Ｒ、演出用点灯役物９０、演出用可動部材３２Ａ、３２Ｂなど）と、演出音の出力を制御可能な音声制御手段（例えば音声処理回路１３６など）と、を備え、前記記憶手段に、表示制御に関するデータと、演出音の出力制御に関するデータとが、一連のデータ（例えば動画像データなど）として記憶され、前記表示制御手段による制御と前記音声制御手段による制御とを同期して実行可能であり（例えば図１４を参照）、前記補助演出手段は、前記表示手段の表示に関する表示補助演出（例えば動画像再生によるリーチ演出など）と、可動物の動作に関する動作補助演出（例えばリーチ後演出ＡＲ１など）と、を実行可能であり、前記記憶手段に関する所定事象が発生した場合に、前記表示手段の表示が停止する停止期間に応じて前記表示補助演出を遅延して実行可能であり（例えば図２３における動画像再生開始、動画像再生終了を参照）、前記停止期間においても前記動作補助演出を実行可能（例えば図２３における動画再生開始より前にリーチ後演出ＡＲ１を実行可能）であり、前記可動物は、原点位置と該原点位置から離れた位置との間で動作可能であり、前記原点位置に前記可動物を位置させる第１動作制御と、前記可動物が正常に動作可能であることを確認する第２動作制御と、前記可動物による演出を行う第３動作制御と、を行うことが可能な制御手段をさらに備え、前記第２動作制御では、第１速度と該第１速度よりも速い第２速度との範囲内で前記可動物を動作させ、前記第１動作制御では、前記第１速度以下の速度で前記可動物を動作させる。
このような構成によれば、適切な演出を実行できる。
（１）また、他の遊技機として、遊技を行うことが可能な遊技機（例えばパチンコ遊技機１など）であって、表示制御に関するデータを記憶可能な記憶手段（例えば演出データメモリ１２３など）と、前記記憶手段の記憶データを読み出して表示手段を制御可能な表示制御手段（例えばＣＰＵ１３１、ＶＤＰ１３５など）と、前記表示手段とは異なる演出手段を用いた補助演出を実行可能な補助演出手段（例えばスピーカ８Ｌ、８Ｒ、演出用点灯役物９０、演出用可動部材３２Ａ、３２Ｂなど）とを備え、前記補助演出手段は、前記表示手段の表示に関する表示補助演出（例えば動画像再生によるリーチ演出など）と、可動物の動作に関する動作補助演出（例えばリーチ後演出ＡＲ１など）とを実行可能であり、所定事象の発生により前記表示手段の表示が停止する停止期間に応じて前記表示補助演出を遅延して実行可能であり（例えば図２３における動画像再生開始、動画像再生終了を参照）、前記停止期間においても前記動作補助演出を実行可能（例えば図２３における動画再生開始より前にリーチ後演出ＡＲ１を実行可能）である、ことを特徴としてもよい。
このような構成によれば、適切な演出を実行できる。
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
表示制御に関するデータを記憶可能な記憶手段と、
前記記憶手段の記憶データを読み出して表示手段を制御可能な表示制御手段と、
前記表示手段とは異なる演出手段を用いた補助演出を実行可能な補助演出手段と、
演出音の出力を制御可能な音声制御手段と、を備え、
前記記憶手段に、表示制御に関するデータと、演出音の出力制御に関するデータとが、一連のデータとして記憶され、
前記表示制御手段による制御と前記音声制御手段による制御とを同期して実行可能であり、
前記補助演出手段は、
前記表示手段の表示に関する表示補助演出と、該表示補助演出とは異なる予告に関する予告補助演出とを実行可能であり、
前記記憶手段に関する所定事象が発生した場合に、前記表示手段の表示が停止する停止期間に応じて前記表示補助演出を遅延して実行可能であり、
前記停止期間においても前記予告補助演出を実行可能であり、
前記予告補助演出として、遊技者にとって有利な有利状態に制御されることを発光手段の発光により予告する演出を、前記停止期間においても遅延せずに実行可能であり、
前記記憶手段は、通常使用領域と、代替使用領域とを含み、
前記所定事象として、データエラーの発生に基づいて前記記憶手段の通常使用領域に記憶されたデータを前記記憶手段の代替使用領域に記憶させる処理を実行する、
ことを特徴とする遊技機。
【手続補正２】
【補正対象書類名】明細書
【補正対象項目名】０００６
【補正方法】変更
【補正の内容】
【０００６】
（Ａ）上記目的を達成するため、本願の請求項に係る遊技機は、遊技を行うことが可能な遊技機（例えばパチンコ遊技機１など）であって、表示制御に関するデータを記憶可能な記憶手段（例えば演出データメモリ１２３など）と、前記記憶手段の記憶データを読み出して表示手段を制御可能な表示制御手段（例えばＣＰＵ１３１、ＶＤＰ１３５など）と、前記表示手段とは異なる演出手段を用いた補助演出を実行可能な補助演出手段（例えばスピーカ８Ｌ、８Ｒ、演出用点灯役物９０、演出用可動部材３２Ａ、３２Ｂなど）と、演出音の出力を制御可能な音声制御手段（例えば音声処理回路１３６など）と、を備え、前記記憶手段に、表示制御に関するデータと、演出音の出力制御に関するデータとが、一連のデータ（例えば動画像データなど）として記憶され、前記表示制御手段による制御と前記音声制御手段による制御とを同期して実行可能であり（例えば図１４を参照）、前記補助演出手段は、前記表示手段の表示に関する表示補助演出（例えば動画像再生によるリーチ演出など）と、該表示補助演出とは異なる予告に関する予告補助演出（例えば予告演出ＹＡ１など）とを実行可能であり、前記記憶手段に関する所定事象が発生した場合に、前記表示手段の表示が停止する停止期間に応じて前記表示補助演出を遅延して実行可能であり（例えば図３０における動画像再生開始、動画像再生終了を参照）、前記停止期間においても前記予告補助演出を実行可能（例えば図３０における動画再生開始より前に予告演出ＹＡ１を実行可能）であり、前記予告補助演出として、遊技者にとって有利な有利状態に制御されることを発光手段の発光により予告する演出を、前記停止期間においても遅延せずに実行可能であり、前記記憶手段は、通常使用領域と、代替使用領域とを含み、前記所定事象として、データエラーの発生に基づいて前記記憶手段の通常使用領域に記憶されたデータを前記記憶手段の代替使用領域に記憶させる処理を実行する。
このような構成によれば、適切な演出を実行できる。
（１）また、他の遊技機として、遊技を行うことが可能な遊技機（例えばパチンコ遊技機１など）であって、表示制御に関するデータを記憶可能な記憶手段（例えば演出データメモリ１２３など）と、前記記憶手段の記憶データを読み出して表示手段を制御可能な表示制御手段（例えばＣＰＵ１３１、ＶＤＰ１３５など）と、前記表示手段とは異なる演出手段を用いた補助演出を実行可能な補助演出手段（例えばスピーカ８Ｌ、８Ｒ、演出用点灯役物９０、演出用可動部材３２Ａ、３２Ｂなど）とを備え、前記補助演出手段は、前記表示手段の表示に関する表示補助演出（例えば動画像再生によるリーチ演出など）と、該表示補助演出とは異なる予告に関する予告補助演出（例えば予告演出ＹＡ１など）とを実行可能であり、所定事象の発生により前記表示手段の表示が停止する停止期間に応じて前記表示補助演出を遅延して実行可能であり（例えば図３０における動画像再生開始、動画像再生終了を参照）、前記停止期間においても前記予告補助演出を実行可能（例えば図３０における動画再生開始より前に予告演出ＹＡ１を実行可能）である、ことを特徴としてもよい。
このような構成によれば、適切な演出を実行できる。
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
次の成分（Ａ）及び（Ｂ）；
（Ａ）クロロゲン酸類  ０．００１質量％以上、及び
（Ｂ）Ｌ−トリプトファン
を含有し、
成分（Ａ）と成分（Ｂ）との質量比［（Ｂ）／（Ａ）］が０．００００５〜０．０１である、食品組成物。
【請求項２】
成分（Ｂ）の含有量が０．０００００００１〜１．０質量％である、請求項１記載の食品組成物。
【請求項３】
食品組成物が固形状食品組成物である、請求項１記載の食品組成物。
【請求項４】
成分（Ａ）の含有量が５〜９０質量％である、請求項３記載の食品組成物。
【請求項５】
成分（Ｂ）の含有量が０．００１〜１．０質量％である、請求項３又は４記載の食品組成物。
【請求項６】
食品組成物が飲料である、請求項１記載の食品組成物。
【請求項７】
成分（Ａ）の含有量が０．００１〜３．０質量％である、請求項６記載の食品組成物。
【請求項８】
成分（Ｂ）の含有量が０．０１〜１００質量ｐｐｍである、請求項６又は７記載の食品組成物。
【請求項９】
ｐＨが２．０〜８．０である、請求項６〜８のいずれか１項に記載の食品組成物。
【請求項１０】
次の成分（Ａ）及び（Ｂ）；
（Ａ）クロロゲン酸類  ０．００１質量％以上、及び
（Ｂ）Ｌ−トリプトファン
を、両者の質量比［（Ｂ）／（Ａ）］が０．００００５〜０．０１となる範囲内で含有させる、クロロゲン酸類の収斂味及びＬ−トリプトファンの苦味の抑制方法。
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
外部装置と接続を確立して通信を行う通信手段と、
第１の外部装置と接続が確立しているときに第２の外部装置から受信する接続要求に係る情報に応じて、前記通信手段に、前記第１の外部装置の代わりに前記第２の外部装置と接続を確立させるか否かを制御する制御手段と、を含み、
前記制御手段は、前記接続要求に係る情報が、接続する装置を特定する所定の情報を含む代わりに、前記第２の外部装置との間で予め共有された情報を含む場合に、前記第２の外部装置と接続を確立させる、ことを特徴とする通信装置。
【請求項２】
前記制御手段は、前記第１の外部装置と接続が確立しているときに、少なくとも前記第２の外部装置を含む外部装置に対してビーコン信号を送信するように更に前記通信手段を制御し、前記通信手段は、前記ビーコン信号を受信したことに応じて送信される、外部装置からの前記接続要求を受信する、ことを特徴とする請求項１に記載の通信装置。
【請求項３】
前記制御手段は、前記第１の外部装置と接続が確立しているときに、発信先の外部装置を指定して前記ビーコン信号を送信するように前記通信手段を制御する、ことを特徴とする請求項２に記載の通信装置。
【請求項４】
前記第２の外部装置から受信する前記接続要求に係る情報は、前記通信手段により前記第１の外部装置と接続を確立していない場合には、接続する装置を特定する前記所定の情報を含む、ことを特徴とする請求項１から３のいずれか１項に記載の通信装置。
【請求項５】
前記通信手段は、前記第２の外部装置との間で予め共有された情報を含む前記接続要求を、前記第２の外部装置において所定のユーザ操作が受け付けられたことに応じて受信する、ことを特徴とする請求項１から４のいずれか１項に記載の通信装置。
【請求項６】
前記第２の外部装置との間で予め共有された情報は、前記制御手段が生成して前記通信手段により前記第２の外部装置に送信された情報である、ことを特徴とする請求項１から５のいずれか１項に記載の通信装置。
【請求項７】
前記第２の外部装置との間で予め共有された情報は、前記第２の外部装置によって生成され、前記通信手段を介して受信された情報である、ことを特徴とする請求項１から５のいずれか１項に記載の通信装置。
【請求項８】
前記制御手段は、前記第１の外部装置と接続が確立しているときに、他にペアリングを行った外部装置が無い場合、前記ビーコン信号を送信しないように前記通信手段を制御する、ことを特徴とする請求項２又は３に記載の通信装置。
【請求項９】
前記制御手段は、前記接続要求に係る情報に含ませるための予め共有する情報を取得可能であることを示す通知を外部装置に送信するように前記通信手段を更に制御する、請求項１から８のいずれか１項に記載の通信装置。
【請求項１０】
接続する装置を特定する前記所定の情報は、前記第２の外部装置を接続要求の発信元として特定するイニシエータアドレスである、ことを特徴とする請求項１から９のいずれか１項に記載の通信装置。
【請求項１１】
接続する装置を特定する前記所定の情報は、前記通信装置をビーコン信号によるアドバタイズの発信元として特定するアドバタイザアドレスである、ことを特徴とする請求項１から９のいずれか１項に記載の通信装置。
【請求項１２】
前記通信手段は、同時に複数の外部装置との接続を確立しないことを特徴とする請求項１から１１のいずれか１項に記載の通信装置。
【請求項１３】
前記通信手段は、前記第１の外部装置および前記第２の外部装置を含む複数の外部装置のうちのいずれかとＢＬＥ通信の接続を確立して通信し、
前記ＢＬＥ通信の接続において、前記第１の外部装置および前記第２の外部装置はセントラルであり、前記通信装置はペリフェラルであることを特徴とする請求項１から１２のいずれか１項に記載の通信装置。
【請求項１４】
外部装置と接続を確立して通信を行う通信手段と、
第１の外部装置が第２の外部装置と接続を確立しているときに、第１の通信装置から送信されるビーコン信号に対して接続要求を送信するための所定のユーザ操作を受け付ける操作手段と、
前記所定のユーザ操作を受け付けたことに応じて、前記接続要求を前記第１の外部装置に送信するように前記通信手段を制御する制御手段と、を有し、
前記制御手段は、送信する装置を特定する所定の情報を含む代わりに、前記第１の通信装置との間で予め共有された情報を含むようにした前記接続要求を、前記第１の外部装置に送信するように前記通信手段を制御する、ことを特徴とする通信装置。
【請求項１５】
外部装置と接続を確立して通信を行う通信手段を有する通信装置の制御方法であって、
制御手段が、第１の外部装置と接続が確立しているときに第２の外部装置から受信する接続要求に係る情報に応じて、前記通信手段に、前記第１の外部装置の代わりに前記第２の外部装置と接続を確立させるか否かを制御する制御工程を含み、
前記制御工程では、前記接続要求に係る情報が、接続する装置を特定する所定の情報を含む代わりに、前記第２の外部装置との間で予め共有された情報を含む場合に、前記第２の外部装置と接続を確立させる、ことを特徴とする通信装置の制御方法。
【請求項１６】
コンピュータを、請求項１から１３のいずれか１項に記載の通信装置の各手段として機能させるためのプログラム。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
撮像装置の流し撮り撮影の開始前の第１の画像から第１の情報を取得し、前記撮像装置の流し撮り撮影の終了後の第２の画像から第２の情報を取得する取得手段と、
前記第１の情報と前記第２の情報とに基づいて、前記流し撮り撮影が成功したか否かに関するデータを算出する算出手段と、を有することを特徴とする制御装置。
【請求項２】
前記算出手段は、前記流し撮り撮影が成功したか否かに関するデータとして、流し撮り成功割合を算出することを特徴とする請求項１に記載の制御装置。
【請求項３】
前記取得手段は、
前記第１の情報として、前記第１の画像から被写体領域に関する情報を取得し、
前記第２の情報として、前記第２の画像から前記被写体領域に関する情報を取得することを特徴とする請求項１または２に記載の制御装置。
【請求項４】
前記取得手段は、前記被写体領域に関する情報として、移動体を含む領域に関する情報を取得することを特徴とする請求項３に記載の制御装置。
【請求項５】
前記取得手段は、前記被写体領域に関する情報として、該被写体領域の位置に関する情報を取得することを特徴とする請求項３または４に記載の制御装置。
【請求項６】
前記取得手段は、前記被写体領域に関する情報として、該被写体領域の輝度情報を取得することを特徴とする請求項３または４に記載の制御装置。
【請求項７】
前記取得手段は、前記被写体領域に関する情報として、該被写体領域の移動量に関する情報を取得することを特徴とする請求項３または４に記載の制御装置。
【請求項８】
前記取得手段は、前記被写体領域の前記移動量に関する情報として、前記第１の画像に関する第１の移動量と前記第２の画像に関する第２の移動量とを取得し、
前記算出手段は、前記第１の移動量と前記第２の移動量とを比較して、前記流し撮り撮影が成功したか否かに関するデータを算出することを特徴とする請求項７に記載の制御装置。
【請求項９】
前記取得手段は、前記第１の画像と前記第２の画像とを比較して前記被写体領域の前記移動量に関する情報を取得することを特徴とする請求項７に記載の制御装置。
【請求項１０】
前記取得手段は、
前記第１の情報として、前記第１の画像から背景領域の移動量に関する情報を取得し、
前記第２の情報として、前記第２の画像から前記背景領域の移動量に関する情報を取得することを特徴とする請求項１または２に記載の制御装置。
【請求項１１】
撮像光学系の光軸と直交する方向にシフトレンズを駆動する駆動手段を更に有し、
前記駆動手段は、前記流し撮り撮影を補助するように前記シフトレンズを駆動することを特徴とする請求項１乃至１０のいずれか１項に記載の制御装置。
【請求項１２】
前記駆動手段は、前記取得手段が前記第２の情報を取得した後に、前記シフトレンズを初期位置に駆動することを特徴とする請求項１１に記載の制御装置。
【請求項１３】
前記駆動手段は、前記流し撮り撮影が成功したか否かに関するデータに応じて動作を変更することを特徴とする請求項１１または１２に記載の制御装置。
【請求項１４】
前記流し撮り撮影による画像データと該流し撮り撮影が成功したか否かに関するデータとを関連付けて記録手段に記録する記録制御手段を更に有することを特徴とする請求項１乃至１２のいずれか１項に記載の制御装置。
【請求項１５】
撮像光学系を介して形成された光学像を光電変換する撮像素子と、
撮像装置の流し撮り撮影の開始前の第１の画像から第１の情報を取得し、前記撮像装置の流し撮り撮影の終了後の第２の画像から第２の情報を取得する取得手段と、
前記第１の情報と前記第２の情報とに基づいて、前記流し撮り撮影が成功したか否かに関するデータを算出する算出手段と、を有することを特徴とする撮像装置。
【請求項１６】
撮像装置の流し撮り撮影の開始前の第１の画像から第１の情報を取得するステップと、
前記撮像装置の流し撮り撮影の終了後の第２の画像から第２の情報を取得するステップと、
前記第１の情報と前記第２の情報とに基づいて、前記流し撮り撮影が成功したか否かに関するデータを算出するステップと、を有することを特徴とする制御方法。
【請求項１７】
撮像装置の流し撮り撮影の開始前の第１の画像から第１の情報を取得するステップと、
前記撮像装置の流し撮り撮影の終了後の第２の画像から第２の情報を取得するステップと、
前記第１の情報と前記第２の情報とに基づいて、前記流し撮り撮影が成功したか否かに関するデータを算出するステップと、をコンピュータに実行させることを特徴とするプログラム。
【請求項１８】
請求項１７に記載のプログラムを記憶していることを特徴とするコンピュータが読み取り可能な記憶媒体。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
同期信号を生成して出力する同期信号出力装置であって、
内部信号に基づき、撮影装置による撮影タイミングを制御するための同期信号を出力する出力手段と、
タイムサーバから取得される時刻に基づくリファレンス信号と前記内部信号との差分を取得する取得手段と、
前記取得手段により取得された差分に基づき、当該差分が小さくなるように前記内部信号を調整する調整手段と、を有し、
前記調整手段は、前記取得手段により取得された差分が所定の閾値より大きい場合、前記閾値より小さい場合よりも多い調整回数を経て前記内部信号を調整する、ことを特徴とする同期信号出力装置。
【請求項２】
前記差分の大きさが第２の閾値を超える場合に、前記差分に基づく前記調整手段による調整を行わない動作モードを設定する手段を有する、
ことを特徴とする請求項１に記載の同期信号出力装置。
【請求項３】
前記調整手段は、前記リファレンス信号と前記内部信号との位相差をフィードバックして前記内部信号を前記リファレンス信号に追従するように調整する、
ことを特徴とする請求項１又は２に記載の同期信号出力装置。
【請求項４】
前記出力手段は、前記同期信号と共に当該同期信号を生成する際の前記調整手段による調整方法を示す情報を出力する、
ことを特徴とする請求項１から３のいずれか１項に記載の同期信号出力装置。
【請求項５】
前記同期信号が供給される前記撮影装置によって当該同期信号に基づいて撮影されたデータに、前記調整手段による調整方法を示す情報を含める手段をさらに有する、
ことを特徴とする請求項１から４のいずれか１項に記載の同期信号出力装置。
【請求項６】
前記出力手段は、複数の撮影装置に前記同期信号を出力し、
前記複数の撮影装置は、前記同期信号に基づいて同期撮影を行う、
ことを特徴とする請求項１から５のいずれか１項に記載の同期信号出力装置。
【請求項７】
前記同期信号出力装置は、前記同期信号が供給される装置の内部に含まれる、
ことを特徴とする請求項１から６のいずれか１項に記載の同期信号出力装置。
【請求項８】
前記同期信号出力装置は、前記同期信号が供給される装置と別個の装置である、
ことを特徴とする請求項１から６のいずれか１項に記載の同期信号出力装置。
【請求項９】
内部信号に基づき、撮影装置による撮影タイミングを制御するための同期信号を出力する出力手段を有する同期信号出力装置における同期信号の調整方法であって、
タイムサーバから取得される時刻に基づくリファレンス信号と前記内部信号との差分を取得する取得工程と、
前記取得工程において取得された差分が所定の閾値より大きい場合、前記閾値より小さい場合よりも多い調整回数を経て前記差分が小さくなるように前記内部信号を調整する調整工程と、
を有することを特徴とする調整方法。
【請求項１０】
複数の撮影装置による撮影を同期させるための同期信号を出力する同期信号出力装置であって、
時刻を計る時計手段と、
タイムサーバから時刻を取得する取得手段と、
前記時計手段により計られた時刻と前記取得手段により取得された時刻との差が、第１の値である場合と、前記第１の値と異なる第２の値である場合とで異なるタイミングで前記同期信号を出力する出力手段と、
を有することを特徴とする同期信号出力装置。
【請求項１１】
前記出力手段は、前記時計手段により計られた時刻と前記取得手段により取得された時刻との差が前記第１の値である場合、前記時計手段により計られた時刻に基づくタイミングであって、前記取得手段により取得された時刻に基づいて調整されたタイミングで前記同期信号を出力する、
ことを特徴とする請求項１０に記載の同期信号出力装置。
【請求項１２】
前記出力手段は、前記時計手段により計られた時刻と前記取得手段により取得された時刻との差が前記第２の値である場合、前記取得手段により取得された時刻に基づく調整を行わず、前記時計手段により計られた時刻に基づくタイミングで前記同期信号を出力する、
ことを特徴とする請求項１０または１１に記載の同期信号出力装置。
【請求項１３】
請求項１から請求項８または請求項１０から請求項１２のいずれか１項に記載の同期信号出力装置または請求項９に記載の調整方法をコンピュータにより実現するためのプログラム。
【手続補正２】
【補正対象書類名】明細書
【補正対象項目名】発明の名称
【補正方法】変更
【補正の内容】
【発明の名称】同期信号出力装置、調整方法、及び、プログラム
【手続補正３】
【補正対象書類名】明細書
【補正対象項目名】０００６
【補正方法】変更
【補正の内容】
【０００６】
本発明の一態様による同期信号出力装置は、同期信号を生成して出力する同期信号出力装置であって、内部信号に基づき、撮影装置による撮影タイミングを制御するための同期信号を出力する出力手段と、タイムサーバから取得される時刻に基づくリファレンス信号と前記内部信号との差分を取得する取得手段と、前記取得手段により取得された差分に基づき、当該差分が小さくなるように前記内部信号を調整する調整手段と、を有し、前記調整手段は、前記取得手段により取得された差分が所定の閾値より大きい場合、前記閾値より小さい場合よりも多い調整回数を経て前記内部信号を調整する、ことを特徴とする。